(57)【要約】【課題】フェージング環境下など受信品質が変動する場合でも、高精度に変調方式の推定を行うことができる変調方式推定装置を得ること。【解決手段】受信バーストごとに受信品質としてＳ／Ｎ比の推定値を求めるＳ／Ｎ推定部１と、受信信号に基づいて変調方式を推定する変調方式推定システム３１−１〜３１−ｍと、受信品質の範囲と変調方式推定システム３１−１〜３１−ｍとの対応に基づいて、受信品質の推定値に対応する変調方式推定システム３１−１〜３１−ｍに受信信号を出力するスイッチ２と、を備え、変調方式推定システム３１−１〜３１−ｍは、それぞれ受信信号に基づいて算出された中間信号を蓄積し、蓄積した中間信号に基づいて変調方式を推定する。【選択図】図１
2010212884.tif 000002
【特許請求の範囲】
【請求項１】
受信信号のバーストごとに受信品質を推定する受信品質推定手段と、
受信信号に基づいて変調方式を推定する複数の変調方式推定手段と、
あらかじめ保持されている受信品質の範囲と前記変調方式推定手段との対応に基づいて、前記推定値に対応する変調方式推定手段を選択し、選択した変調方式手段に受信信号を出力する出力切り替え手段と、
を備え、
前記変調方式推定手段は、
受信信号に基づいて算出された中間信号を蓄積するための蓄積手段、
を備え、
前記蓄積手段に蓄積された中間信号に基づいて変調方式を推定し、推定した結果を変調方式判定結果とすることを特徴とする変調方式推定装置。
【請求項２】
受信信号のバーストごとに受信品質を推定する受信品質推定手段と、
受信信号に基づいて、変調方式を推定するために用いる中間信号を算出する第１の変調方式推定手段と、
前記中間信号を蓄積するための複数の蓄積手段と、
あらかじめ保持されている受信品質の範囲と前記蓄積手段との対応に基づいて、前記推定値に対応する蓄積手段を選択し、選択した蓄積手段に、その推定値に対応する受信信号に基づいて算出された中間信号を出力する出力切り替え手段と、
前記蓄積手段に蓄積された中間信号に基づいて変調方式を推定し、推定した結果を変調方式判定結果とする第２の変調方式推定手段と、
を備えることを特徴とする変調方式推定装置。
【請求項３】
受信信号のバーストごとに受信品質を推定する受信品質推定手段と、
受信信号に基づいて、変調方式を推定するために用いる中間信号を算出する第１の変調方式推定手段と、
前記中間信号に対して、変調方式を推定するための受信品質に依存した処理を実施し、実施後の信号を個別中間信号として出力する複数の第２の変調方式推定手段と、
前記第２の変調方式推定手段が出力する個別中間信号を前記第２の変調方式推定手段ごとに蓄積するための蓄積手段と、
あらかじめ保持されている受信品質の範囲と前記第２の変調方式推定手段との対応に基づいて、前記推定値に対応する第２の変調方式推定手段を選択し、選択した第２の変調方式推定手段に、その推定値に対応する受信信号に基づいて算出された中間信号を出力する出力切り替え手段と、
前記蓄積手段に蓄積された中間信号に基づいて変調方式を推定し、推定した結果を変調方式判定結果とする第３の変調方式推定手段と、
を備えることを特徴とする変調方式推定装置。
【請求項４】
受信信号の受信品質に基づいて、信頼度情報を算出する信頼度情報算出手段と、
前記信頼度情報と前記変調方式判定結果を蓄積し、蓄積した前記信頼度情報と前記変調方式判定結果に基づいて変調方式判定結果を更新する判定結果更新手段と、
をさらに備えることを特徴とする請求項１、２または３に記載の変調方式推定装置。
【請求項５】
前記受信品質推定手段は、受信信号を周波数変換して周波数信号とし、前記周波数信号の所定の周波数範囲内の最大値と最小値との比を信号対雑音比の推定値として導出し、受信品質とすることを特徴とする請求項１〜４のいずれか１つに記載の変調方式推定装置。
【請求項６】
前記受信品質推定手段は、受信信号を周波数変換して周波数信号とし、前記周波数信号の移動平均を算出し、移動平均処理実施後の信号の所定の周波数範囲内の最大値と最小値との比を信号対雑音比の推定値として導出し、受信品質とすることを特徴とする請求項１〜４のいずれか１つに記載の変調方式推定装置。
【発明の詳細な説明】
【技術分野】
【０００１】
本発明は、受信信号の変調方式を推定する変調方式推定装置に関する。
【背景技術】
【０００２】
受信信号の変調方式を推定する従来技術として、たとえば、下記特許文献１に記載の技術がある。この技術では、バースト毎の変調方式の推定の誤りの影響を受けることなく、フレームの変調方式推定の性能を向上させることを目的としている。具体的な方法としては、バースト毎に、ＢＥＲ、ＳＮＲまたはアンテナ端の入力パワーレベルなどに基づいて受信品質を測定し、測定した受信品質を反映したバースト毎の変調方式推定結果に基づいてフレーム全体の変調方式推定を行い、変調方式推定結果として出力する。
【先行技術文献】
【特許文献】
【０００３】
【特許文献１】特開２００８−５４２３５号公報
【発明の概要】
【発明が解決しようとする課題】
【０００４】
しかしながら、上記従来の技術によれば、処理系列の長さがバースト長であるため、処理系列長を自由に設定できない。そのため、処理系列長を長くする装置内の信号の信頼性の向上させることによる性能の改善ができない、という問題があった。その結果、変調方式の推定精度を高くすることができない。また、受信バースト長を長くして処理系列長を長くすると、フェージング環境下など受信品質が変動する場合にバースト内の受信品質が不均一となり、推定性能が劣化する、という問題がある。
【０００５】
本発明は、上記に鑑みてなされたものであって、フェージング環境下など受信品質が変動する場合でも、高精度に変調方式の推定を行うことができる変調方式推定装置を得ることを目的とする。
【課題を解決するための手段】
【０００６】
上述した課題を解決し、目的を達成するために、本発明は、受信信号のバーストごとに受信品質を推定する受信品質推定手段と、受信信号に基づいて変調方式を推定する複数の変調方式推定手段と、あらかじめ保持されている受信品質の範囲と前記変調方式推定手段との対応に基づいて、前記推定値に対応する変調方式推定手段を選択し、選択した変調方式手段に受信信号を出力する出力切り替え手段と、を備え、前記変調方式推定手段は、受信信号に基づいて算出された中間信号を蓄積するための蓄積手段、を備え、前記蓄積手段に蓄積された中間信号に基づいて変調方式を推定し、推定した結果を変調方式判定結果とすることを特徴とする。
【発明の効果】
【０００７】
本発明によれば、受信品質の範囲と用いる変調方式推定システムを対応づけておき、バーストごとに受信信号の受信品質を求め、受信品質に基づいて対応する変調方式推定システムを選択して、選択した変調方式推定システムが、入力された受信信号、自身が蓄積した受信信号のいずれか１つ以上を用いて変調方式を推定するようにしたので、受信品質が変動する場合でも、高精度に変調方式の推定を行うことができる、という効果を奏する。
【図面の簡単な説明】
【０００８】
【図１】図１は、本発明にかかる変調方式推定装置の実施の形態１の機能構成例を示す図である。
【図２】図２は、Ｓ／Ｎ推定方法を説明するための図である。
【図３】図３は、実施の形態２の変調方式推定装置機能構成例を示す図である。
【図４】図４は、実施の形態２の変調方式推定方法を実施した場合の変調方式推定確率特性のシミュレーション結果の例を示す図である。
【図５】図５は、実施の形態３の変調方式推定装置の機能構成例を示す図である。
【図６】図６は、実施の形態４の変調方式推定装置の機能構成例を示す図である。
【図７】図７は、実施の形態２の変調方式推定装置に信頼度情報算出部，変調方式判定結果更新部を追加した例を示す図である。
【図８】図８は、実施の形態３の変調方式推定装置に信頼度情報算出部，変調方式判定結果更新部を追加した例を示す図である。
【発明を実施するための形態】
【０００９】
以下に、本発明にかかる変調方式推定装置の実施の形態を図面に基づいて詳細に説明する。なお、この実施の形態によりこの発明が限定されるものではない。
【００１０】
実施の形態１．
図１は、本発明にかかる変調方式推定装置の実施の形態１の機能構成例を示す図である。図１に示すように、本実施の形態の変調方式推定装置は、受信品質の推定値としてＳ／Ｎ（Signal／Noise）比を受信信号などに基づいて推定するＳ／Ｎ推定部１と、Ｓ／Ｎ推定部１で推定されたＳ／Ｎ値（推定Ｓ／Ｎ）に基づいて次段への受信信号の出力先を選択するスイッチ２と、受信信号の変調方式を推定する変調方式推定システム群３と、で構成される。また、変調方式推定システム群３は、変調方式推定システム３１−１〜３１−ｍで構成される。
【００１１】
つづいて、本実施の形態の動作について説明する。たとえば、本実施の形態の変調方式推定装置が搭載される受信装置が受信信号のバーストを受信すると、本実施の形態の変調方式推定処理が開始される。まず、Ｓ／Ｎ推定部１は、受信信号のバースト等を用いてバーストごとにＳ／Ｎ推定を実施する。このときのＳ／Ｎ推定方法としては、たとえば、次の方法がある。
【００１２】
受信信号系列に対して離散フーリエ変換または高速フーリエ変換などの処理により受信信号を周波数領域に変換し、必要であれば移動平均を行い電力スペクトルを求める。そして、得られた電力スペクトルの所定の範囲内の最大値Smaxおよび最小値Sminを求め、その比（Smax／Smin）をＳ／Ｎとする。図２は、このＳ／Ｎ推定方法を説明するための図である。図に示すように、Smaxは所望信号が支配的であり、Sminは信号がない周波数成分に相当しノイズ成分に相当する。なお、Ｓ／Ｎ推定方法は、これに限らず、バーストごとにＳ／Ｎ値を推定する方法であれば、他の方法を用いてもよい。
【００１３】
つぎに、Ｓ／Ｎ推定部１で推定された推定Ｓ／Ｎに基づいて、スイッチ２が、変調方式推定システム群３内で、処理を行う変調方式推定システム３１−ｉ（ｉ＝１〜ｍ）を決定する。本実施の形態では、あらかじめ、推定Ｓ／Ｎの範囲をｍ種類に分類し、それぞれの段階ごとに対応する変調方式推定システム３１−１〜３１−ｍを定めておくこととする。スイッチ２は、この対応に基づいて、入力された推定Ｓ／Ｎが属する範囲に対応する変調方式推定システム３１−１〜３１−ｍを、処理を行う変調方式推定システム３１−ｉとして選択し、変調方式推定システム３１−ｉに受信信号を出力する。
【００１４】
受信信号が入力された変調方式推定システム３１−ｉは、所定の推定方法に従って受信信号の変調方式を推定し、推定結果を出力する。変調方式推定システム３１−１〜３１−ｍが実施する変調方式の推定方法は、対応する推定Ｓ／Ｎに適した推定方法を採用することで、推定精度を向上することが可能である。なお、このときに用いる変調方式の推定方法は、たとえば、特開２００８−２１１７６０号公報に記載されている変調方式推定装置のように、特徴量を蓄積するためのバッファ（蓄積手段）を備え、特徴量の誤差抑制のために行う蓄積された値の平均化処理を付加する方法とする。変調方式の推定方法は、これに限らず、受信信号に基づいて推定する方法であればどのような方法でもよい。
【００１５】
変調方式の推定方法としては、推定精度を向上させるために受信信号を蓄積して推定する方法があるが、従来の方法では、異なるＳ／Ｎの処理系列が混在する場合には推定精度が低下する。本実施の形態では、要求Ｓ／Ｎごとに、変調方式推定システム３１−１〜３１−ｍがそれぞれ受信信号を蓄積して変調方式の推定処理を実施することができるため、そのような異なるＳ／Ｎの処理系列の混在による推定精度の低下を防ぎ、推定精度を向上させることができる。
【００１６】
このように、本実施の形態では、バーストごとに受信信号の推定Ｓ／Ｎを求め、推定Ｓ／Ｎごとに、変調方式推定システム３１−１〜３１−ｍを選択して、選択した変調方式推定システム３１−ｉが、入力された受信信号、自身が蓄積した受信信号などを用いて変調方式を推定するようにした。そのため、異なるＳ／Ｎの受信信号を混在させずに、推定に用いる処理系列長を長くして変調方式推定を実行できるため、高精度な変調方式推定ができる。特に、Ｓ／Ｎが変動するフェージング環境下では、本実施の形態の変調方式推定方法による推定精度向上の効果が高い。
【００１７】
実施の形態２．
図３は、本発明にかかる変調方式推定装置の実施の形態２の機能構成例を示す図である。図３に示すように、本実施の形態の変調方式推定装置は、実施の形態１と同様のＳ／Ｎ推定部１と、変調方式推定システム４と、で構成される。実施の形態１と同様の機能を有する構成要素は、実施の形態１と同一の符号を付して説明を省略する。
【００１８】
変調方式推定システム４は、受信信号のバーストに基づいて変調方式の推定を行うための所定の処理を行い、処理結果を中間信号とする第１の変調方式推定モジュール４１と、第１の変調方式推定モジュール４１から出力される中間信号の出力先をＳ／Ｎ推定部１が推定したＳ／Ｎ値に基づいて選択するスイッチ４２と、第１の変調方式推定モジュール４１の中間信号を蓄積し、必要であれば中間信号に対して所定の信号処理を行う記憶装置群４３と、記憶装置群４３からの出力される中間信号に基づいて変調方式推定を行う第２の変調推定方式モジュール４４と、で構成される。また、記憶装置群４３は、記憶装置４５−１〜４５−ｍで構成される。推定Ｓ／Ｎ値の範囲と記憶装置４５−１〜４５−ｍは、実施の形態１の変調方式推定システム３１−１〜３１−ｍとＳ／Ｎ値の範囲との対応と同様に、あらかじめ対応づけられているとする。そして、スイッチ４２は、その対応に基づいてＳ／Ｎ推定部１が推定したＳ／Ｎ値に対応する記憶装置４５−１〜４５−ｍに、第１の変調方式推定モジュールの中間信号を出力する。
【００１９】
つづいて、本実施の形態の動作について説明する。受信信号のバーストを受信してからＳ／Ｎ推定部１が受信信号に基づいてＳ／Ｎ値を推定するまでの動作は実施の形態１と同様である。受信信号は、第１の変調方式推定モジュール４１にも入力される。第１の変調方式推定モジュール４１は、受信信号に基づいて変調方式の推定を行うため処理を実施する。この処置として、たとえば、伝送レート補正，周波数偏差補正，帯域外干渉成分の除去，特徴量の算出などの処理を行う。そして、第１の変調方式推定モジュール４１は、処理結果を中間信号としての中間信号を算出する。スイッチ４２は、Ｓ／Ｎ推定部１が推定したＳ／Ｎ値に基づいて中間信号の出力先の記憶装置４５−１〜４５−ｍを選択し、選択した記憶装置４５−１〜４５−ｍに中間信号を出力する。
【００２０】
記憶装置４５−１〜４５−ｍは、それぞれ入力された中間信号に対して必要な場合には、所定の信号処理を実施して、中間信号（信号処理を行った場合には処置後の信号）を蓄積する。記憶装置４５−１〜４５−ｍは、蓄積した信号を所定の単位（信号列）で第２の変調方式推定モジュール４４へ出力する。第２の変調方式推定モジュール４４は、入力された信号列に基づいて変調方式を推定し、推定結果を出力する。このときの推定処理として、たとえば、特徴量の評価処理を行う。なお、記憶装置４５−１〜４５−ｍが複数の信号を蓄積しない場合には、記憶装置４５−１〜４５−ｍは入力された信号を第２の変調方式推定モジュール４４へ出力し、第２の変調方式推定モジュール４４は入力された信号に基づいて変調方式の推定を実施する。
【００２１】
このように、本実施の形態では、実施の形態１で受信信号のＳ／Ｎ値ごとに個別に実施した変調方式推定のための処理を、共通化して第１の変調方式推定モジュール４１が実施している。そして、Ｓ／Ｎ値ごとに記憶装置４５−１〜４５−ｍが処理結果である中間信号を蓄積する。変調方式推定のためにＳ／Ｎ値ごとに異なる処理部分がある場合には、共通化記憶装置４５−１〜４５−ｍがそれぞれその処理を行うようにすればよい。
【００２２】
図４は、本実施の形態の変調方式推定方法を実施した場合の変調方式推定確率特性のシミュレーション結果の例を示す図である。図の横軸はフェージング周期を示している。フェージング環境では、本実施の形態の方式（提案方式）では、単一の記憶装置を用いる従来の方式に比べ識別確率が高くなることがわかる。
【００２３】
以上のように、本実施の形態では、受信信号のバーストを処理して得られる中間信号を、Ｓ／Ｎ値の範囲ごとに記憶装置４５−１〜４５−ｍにそれぞれ蓄積し、第２の変調方式推定モジュール４４が、蓄積結果を用いて変調方式の推定を行うようにした。そのため、異なるＳ／Ｎ値の信号を混在させずに推定に用いる処理系列長を増大させて変調方式推定を実行できるので、高精度な変調方式推定を行うことができる。また、共通化できる処理を第１の変調方式推定モジュール４１が実施した後に、処理後の信号をＳ／Ｎ値の範囲ごとに蓄積するようにしたので、実施の形態１に比べ、簡易に実装が可能である。
【００２４】
実施の形態３．
図５は、本発明にかかる変調方式推定装置の実施の形態３の機能構成例を示す図である。図５に示すように、本実施の形態の変調方式推定装置は、実施の形態１と同様のＳ／Ｎ推定部１と、変調方式推定システム４ａと、で構成される。実施の形態１または実施の形態２と同様の機能を有する構成要素は、実施の形態１または実施の形態２と同一の符号を付して説明を省略する。
【００２５】
変調方式推定システム４ａは、実施の形態２の変調方式推定システム４の記憶装置群４３，第２の変調方式推定モジュール４４を、それぞれ記憶装置群４６，第３の変調方式推定モジュール４７に替える以外は、実施の形態２の変調方式システム４と同様である。記憶装置群４６は、モジュール４８−１〜４８−ｍと記憶装置４９−１〜４９−ｍで構成される。
【００２６】
つづいて、本実施の形態の動作について説明する。受信信号のバーストを受信してからＳ／Ｎ推定部１が受信信号に基づいてＳ／Ｎ値を推定するまでの動作は実施の形態１と同様である。また、第１の変調方式推定モジュール４１の動作は実施の形態２と同様であるが、本実施の形態では、第１の変調方式推定モジュール４１は、推定Ｓ／Ｎを反映させる必要のない処理を実施する。スイッチ４２は、実施の形態２と同様にＳ／Ｎ推定部１が推定したＳ／Ｎ値に基づいて第１の変調方式推定モジュール４１の出力である中間信号の出力先を選択するが、この際の出力先は、モジュール４８−１〜４８−ｍのなかから選択する。モジュール４８−１〜４８−ｍとＳ／Ｎ値の範囲との対応は、実施の形態２の記憶装置４５−１〜４５−ｍとＳ／Ｎ値の範囲との対応と同様に、あらかじめ定めておくこととする。
【００２７】
モジュール４８−ｉ（ｉ＝１〜ｍ）は、変調方式を推定するための処理のうち、推定Ｓ／Ｎを反映させる必要のある部分の処理を実施し、処理後の信号を記憶装置４９−ｉに蓄積する。記憶装置４９−ｉは、蓄積した信号または信号列を第３の変調方式推定モジュール４７に出力する。第３の変調方式推定モジュール４７は、実施の形態２の第２の変調方式推定モジュール４４と同様に、入力された信号または信号列に基づいて変調方式の推定を実施し、推定結果を出力する。
【００２８】
以上のように、本実施の形態では、第１の変調方式推定モジュール４１が推定Ｓ／Ｎを反映させる必要のない処理を実施し、実施後の信号を推定Ｓ／Ｎ値に応じた処理を実施した後に推定Ｓ／Ｎ値ごとに蓄積するようにした。そのため、実施の形態１より簡易な構成とすることができる。また、推定Ｓ／Ｎを反映することで処理の精度が向上する処理をＳ／Ｎ値ごとにモジュール４８−１〜４８−ｍが実施するようにしたので、実施の形態２よりも推定精度を向上させることができる。
【００２９】
実施の形態４．
図６は、本発明にかかる変調方式推定装置の実施の形態４の機能構成例を示す図である。図６に示すように、本実施の形態の変調方式推定装置は、実施の形態１の変調方式推定装置に信頼度情報算出部５，変調方式判定結果更新部６を追加する以外は、実施の形態１の変調方式推定装置と同様である。実施の形態１と同様の機能を有する構成要素は、実施の形態１と同一の符号を付して説明を省略する。
【００３０】
信頼度情報算出部５は、Ｓ／Ｎ推定部１が推定したＳ／Ｎ値に基づいて信頼度情報を算出する。変調方式判定結果更新部６は、変調方式推定システム群３が変調方式を推定した結果（変調方式判定結果）と信頼度情報を蓄積し、蓄積した値に基づいて変調方式判定結果を更新する。
【００３１】
つづいて、本実施の形態の動作について説明する。受信信号のバーストを受信してからＳ／Ｎ推定部１が受信信号に基づいてＳ／Ｎ値を推定するまでの動作は実施の形態１と同様であるが、本実施の形態では、Ｓ／Ｎ推定部１は推定したＳ／Ｎ値を信頼度情報算出部５にも出力する。信頼度情報算出部５は、Ｓ／Ｎ推定部１が推定したＳ／Ｎ値に基づいて信頼度情報を算出し、変調方式判定結果更新部６に出力する。信頼度情報としてはＳ／Ｎ値が良い場合に信頼度情報が高くなるような情報であればどのような情報を用いてもよい。
【００３２】
スイッチ２および変調方式推定システム群３は、実施の形態１と同様の動作を行い、変調方式推定システム群３は、変調方式の判定結果を変調方式判定結果更新部６に出力する。変調方式判定結果更新部６は、変調方式の判定結果と信頼度情報を対応づけて蓄積し、蓄積された所定の期間または所定の数の変調方式の判定結果と信頼度情報とに基づいて変調方式の判定結果を総合的に求め、求めた値で判定結果を更新する。この際、たとえば、信頼度情報の高い変調方式の判定結果に重み付をして総合的な判定結果を求める。
【００３３】
また、図６の例では、実施の形態１の変調方式推定装置に、信頼度情報算出部５，変調方式判定結果更新部６を追加するようにしたが、これに限らず、実施の形態２または実施の形態３に信頼度情報算出部５，変調方式判定結果更新部６を追加し、本実施の形態と同様に信頼度情報の算出と変調方式の判定結果の更新処理を追加するようにしてもよい。
【００３４】
図７は、実施の形態２の変調方式推定装置に信頼度情報算出部５，変調方式判定結果更新部６を追加した例を示す図である。この場合、変調方式判定結果更新部６は、第２の変調方式推定モジュール４４の出力である判定結果と信頼度情報とに基づいて判定結果を更新する。図８は、実施の形態３の変調方式推定装置に信頼度情報算出部５，変調方式判定結果更新部６を追加した例を示す図である。この場合、変調方式判定結果更新部６は、第３の変調方式推定モジュール４７の出力である判定結果と信頼度情報とに基づいて判定結果を更新する。
【００３５】
なお、本実施の形態では、Ｓ／Ｎ推定部１が推定したＳ／Ｎ値に基づいて信頼度情報を算出するようにしたが、これに限らず、アンテナ端の入力パワーレベルなど他の受信品質を用いて信頼度情報を算出するようにしてもよい。また、複数の受信品質に基づいて信頼度情報を算出するようにしてもよい。
【００３６】
以上のように、本実施の形態では、本実施の形態では、実施の形態１の変調方式推定装置に信頼度情報算出部５，変調方式判定結果更新部６を追加し、変調方式判定結果更新部６が、変調方式推定システム群３の判定結果と信頼度情報算出部５が算出する信頼度情報とを蓄積し、蓄積した情報に基づいて判定結果を更新するようにした。そのため、実施の形態１より、高精度に変調方式を判定することができる。
【産業上の利用可能性】
【００３７】
以上のように、本発明にかかる変調方式推定装置は、受信信号の変調方式を推定する変調方式推定装置に有用であり、特に、Ｓ／Ｎが変動するフェージング環境下で用いられる変調方式推定装置に適している。
【符号の説明】
【００３８】
１  Ｓ／Ｎ推定部
２  スイッチ
３  変調方式推定システム群
３１−１〜３１−ｍ，４，４ａ  変調方式推定システム
４１  第１の変調方式推定モジュール
４２  スイッチ
４３，４６  記憶装置群
４４  第２の変調方式推定モジュール
４５−１〜４５−ｍ，４９−１〜４９−ｍ  記憶装置
４７  第３の変調方式推定モジュール
４８−１〜４８−ｍ  モジュール
５  信頼度情報算出部
６  変調方式判定結果更新部
【図１】
2010212884.tif 000003
【図２】
2010212884.tif 000004
【図３】
2010212884.tif 000005
【図４】
2010212884.tif 000006
【図５】
2010212884.tif 000007
【図６】
2010212884.tif 000008
【図７】
2010212884.tif 000009
【図８】
2010212884.tif 000010